(57)【要約】【課題】この発明は、通常メール又は機能制御メールが新着したときに、表示器上のアイコン表示方法に工夫をして、ユーザの混乱を防止し、ユーザの便宜を図る。【解決手段】メール受信機能（15S１、15S2）と、前記メール受信機能が、メールを受信したときに、通常メールと機能制御メールとの識別を行うメールタイプ識別機能（15S3）と、前記受信したメールが通常メールであるときは、アイコンによる着信表示処理、メール一覧表示処理及びメール本文表示処理を行い、前記受信したメールが機能制御メールであるときは、前記着信表示処理、メール一覧表示処理及びメール本文表示処理を省略する表示機能（15S4）とを備える。【選択図】      図１５
2006074581.tif 000002
【特許請求の範囲】
【請求項１】
メール受信機能と、
前記メール受信機能が、メールを受信したときに、通常メールと機能制御メールとの識別を行うメールタイプ識別機能と、
前記受信したメールが通常メールであるときは、アイコンによる着信表示処理、メール一覧表示処理及びメール本文表示処理を行い、前記受信したメールが機能制御メールであるときは、前記着信表示処理、メール一覧表示処理及びメール本文表示処理を省略する表示機能と
を具備したことを特徴とする放送受信装置。
【請求項２】
前記表示機能は、前記アイコンの表示を一定時間経過後、消去することを特徴とする請求項１記載の放送受信装置。  
【請求項３】
放送信号を受信するチューナ部と、
前記チューナ部で得られた信号を処理して再生する信号処理部と、
前記信号処理部で得られた表示信号に対して、予め格納しているグラフィック信号を重畳して表示部に出力するグラフィック処理部と、
メール受信機能と、
前記メール受信機能が、メールを受信したときに、通常メールと機能制御メールとの識別を行うメールタイプ識別機能と、
前記受信したメールが通常メールであるときは、前記グラフィック処理部を介してメール着信アイコンを表示する表示処理部と、
受信したメールが機能制御メールであるときは、前記メール着信アイコンを表示することなく、機能制御メール解析するメール解析機能と、
を具備したことを特徴とする放送受信装置。
【請求項４】
前記メール受信機能は、定期的にサーバを監視する機能を含むことを特徴とする請求項１記載の放送受信装置。
【請求項５】
さらに上記機能制御メールを解析して番組録画予約情報を記憶部に格納する手段を有したことを特徴とする請求項１記載の放送受信装置。
【請求項６】
リモートコントローラからの操作信号に応答して、前記記憶部に格納されている番組予約情報を前記表示部に表示する機能を有することを特徴とする請求項１記載の放送受信装置。
【発明の詳細な説明】
【技術分野】
【０００１】
この発明は、例えばデジタルテレビジョン放送等を受信する放送受信装置の改良に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
さらに、現在では、１台のデジタル放送受信装置に対して、複数のデジタル記録機器を接続してネットワーク化することにより、デジタル放送受信装置が、任意のデジタル記録機器を指定して番組の記録を行なわせたり、任意のデジタル記録機器を指定して番組の再生を行なわせたりすることができる。
【０００５】
特許文献１には、インターネット受信機能を備えたテレビジョン受像機で、テレビジョン信号の音声をスピーカ出力している状態でも、電話回線による接続状態を認識可能とした構成が開示されている。
【特許文献１】特開平１０−１３６２７５号公報
【発明の開示】
【発明が解決しようとする課題】
【０００６】
さらに上記したデジタル放送受信装置に対して、インターネット或は電話回線を介してメールを受信できる機能を付加することも希望される。メール受信処理機能が付加された場合、デジタル放送受信装置では、メール受信処理機能を有効に活用することも要望される。
【０００７】
そこで、この発明は上記事情を考慮してなされたもので、メール受信処理機能を有効に活用するもので、通常メールと、機能制御メールを受信し、処理できるようにした放送受信装置を提供することを目的とする。ここで、通常メールとは、文書のように文字で情報伝達されるメールのことであり、機能制御メールとは上記デジタル放送受信装置に多数付随している周辺機器を制御したり、録画予約を行ったりするための制御データを含むメールのことである。
【０００８】
さらにこの発明は、上記通常メール又は機能制御メールが新着したときに、表示器上のアイコン表示方法に工夫をして、ユーザの混乱を防止し、ユーザの便宜を図った放送受信装置を提供することを目的とする。
【課題を解決するための手段】
【０００９】
この発明に係る放送受信装置は、メール受信機能と、前記メール受信機能が、メールを受信したときに、通常メールと機能制御メールとの識別を行うメールタイプ識別機能と、前記受信したメールが通常メールであるときは、メール一覧表示処理及びメール本文表示処理を行い、受信したメールが機能制御メールであるときは、前記メール一覧表示処理及びメール本文表示処理を省略する表示機能とを有する。
【発明の効果】
【００１０】
上記した発明によれば、前記受信したメールが通常メールであるときは、メール一覧表示処理及びメール本文表示処理を行い、受信したメールが機能制御メールであるときは、前記メール一覧表示処理及びメール本文表示処理を省略する表示機能を有するために、表示器の画面上でユーザが混乱をすることがない。
【発明を実施するための最良の形態】
【００１１】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１２】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１３】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１４】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１５】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１６】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１７】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００１８】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１９】
なお、ＤＶＤレコーダ２９については、第２のＬＡＮ端子２２を介して通信されるデジタル情報が制御系の情報であるため、デジタルテレビジョン放送受信装置１１との間でアナログの映像及び音声情報を伝送するために、専用のアナログ伝送路３０を設ける必要がある。
【００２０】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２１】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２２】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２３】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２４】
そして、このチューナ４５で選局された放送信号は、ＰＳＫ（Phase Shift Keying）復調器４６に供給されて、デジタルの映像信号及び音声信号に復調された後、信号処理部４７に出力される。
【００２５】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２６】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２７】
また地上波アナログ信号を受信するアナログチューナ６８も設けられている。アナログチューナ６８で受信された信号は、アナログ復調器６９で復調され信号処理部４７に出力される。
【００２８】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００２９】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３０】
そして、グラフィック処理部５２から出力されたデジタルの映像信号は、映像処理部５５に供給される。この映像処理部５５は、入力されたデジタルの映像信号を、前記映像表示器１４で表示可能なフォーマットのアナログ映像信号に変換し、映像表示器１４に出力して映像表示させる。
【００３１】
また、上記音声処理部５３は、入力されたデジタルの音声信号を、前記スピーカ１５で再生可能なフォーマットのアナログ音声信号に変換し、スピーカ１５に出力して音声再生させる。
【００３２】
ここで、このデジタルテレビジョン放送受信装置１１は、上記した各種の受信動作を含むその全ての動作を制御部５６によって統括的に制御されている。この制御部５６は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３３】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００３４】
また、この制御部５６は、カードＩ／Ｆ（Interface）６０を介して、前記第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００３５】
さらに、上記制御部５６は、カードＩ／Ｆ６２を介して、前記第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００３６】
また、上記制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３７】
さらに、上記制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００３８】
また、上記制御部５６は、ＵＳＢ Ｉ／Ｆ６６を介して前記ＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００３９】
さらに、上記制御部５６は、ｉ．Link Ｉ／Ｆ６７を介してｉ．Link端子２４に接続されている。これにより、制御部５６は、ｉ．Link端子２４に接続された各機器（図１参照）と、ｉ．Link Ｉ／Ｆ６７を介して情報伝送を行なうことができる。
【００４０】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。
【００４１】
図４は、このデジタルテレビジョン放送受信装置１１が、その端子２１〜２４に接続された各機器のうちのデジタル記録機器に番組を記録する動作を説明するフローチャートを示している。すなわち、番組の記録が要求されることにより処理が開始（ステップＳ１）されると、制御部５６は、ステップＳ２で、放送信号から取得したＥＰＧ（Electronic Program Guide）情報に基づいて、図５に示すような番組表を映像表示器１４に表示させる。
【００４２】
すると、ユーザは、ステップＳ３で、表示された番組表に基づいて所望の番組の記録予約設定を実行する。この記録予約設定では、記録すべき番組を番組表から選択するとともに、その番組を記録させるデジタル記録機器を選択設定することも行なわれる。
【００４３】
そして、制御部５６は、ステップＳ４で、記録予約した設定時間に達した場合、予約設定された番組を予約設定されたデジタル記録機器に記録するように、記録動作を実行する。
【００４４】
その後、制御部５６は、ステップＳ５で、番組記録動作が正常に完了したか否かを判別し、正常に完了したと判断された場合（ＹＥＳ）、ステップＳ６で、記録を行なったデジタル記録機器を特定するための機器情報（機器ＩＤ、機器名、共有フォルダ名等）と、その記録番組に関するイベント情報（イベントＩＤ、チャンネル番号、タイトル、内容説明、ジャンル、記録範囲、画質モード等）とを前記不揮発性メモリ５９に記録し、処理を終了（ステップＳ７）する。
【００４５】
また、上記ステップＳ５で番組記録動作が正常に完了しなかったと判断された場合（ＮＯ）、制御部５６は、ステップＳ８で、番組記録動作が正常に完了しなかった旨のメッセージを映像表示器１４に表示させて、処理を終了（ステップＳ７）する。
【００４６】
以上の記録動作により、ユーザは、デジタルテレビジョン放送受信装置１１の各端子２１〜２４に接続されている複数のデジタル記録機器を任意に選択して、番組を記録させていくことが可能になる。
【００４７】
図６は、上記のようにして、複数のデジタル記録機器に記録された種々の番組の中から、所望の番組を迅速に検索して再生する動作を説明するためのフローチャートを示している。すなわち、処理が開始（ステップＳ９）されると、ユーザは、ステップＳ１０で、リモートコントローラ１７のfaceネットキー１７ｊを操作する。
【００４８】
すると、制御部５６は、ステップＳ１１で、faceネット（ナビゲーション）を起動させ、図７に示すようなナビゲーションメニューを映像表示器１４に表示させる。このナビゲーションメニューでは、「テレビ」、「録画番組」、「写真」、「インターネット」、「Ｅメール」の５つの項目が選択可能に設けられる。選択された項目は、画面上では他の項目と色を変えて表示されるが、図７では、「テレビ」が選択された状態をハッチングにより示している。
【００４９】
ここで、ユーザは、ステップＳ１２で、リモートコントローラ１７のカーソルキー１７ｆを操作して「録画番組」の項目を選択する。すると、制御部５６は、図８にハッチングで示すように、「録画番組」の項目を選択した状態となる。
【００５０】
この状態で、ユーザが、ステップＳ１３で、リモートコントローラ１７の決定キー１７ｇを操作すると、制御部５６は、図９に示すように、最近録画した番組の一覧を映像表示器１４に表示させる。この番組一覧では、記録されている番組を示す情報として、タイトル、放送チャンネル、記録日時、曜日、時間、ジャンル等が表示されている。
【００５１】
この最近録画した番組の一覧は、図４で説明した番組の予約記録時に不揮発性メモリ５９に記録された、記録を行なったデジタル記録機器を特定する機器情報と記録番組に関するイベント情報とを参照することで作成される。この最近録画した番組の一覧では、記録したデジタル記録機器を問わず、最新の記録番組から溯って最大で３５個の番組を示す情報を一覧表示することが可能である。図９では、７つの番組が一覧表示されているが、カーソルキー１７ｆを操作することにより表示をスクロールさせて３５個の番組一覧を見ることが可能である。また、リモートコントローラ１７のページ切換キー１７ｉを操作すれば、一覧表示されている７つの番組を一気にスキップさせることが可能である。
【００５２】
そして、ユーザが、ステップＳ１４で、最近録画した番組の一覧から、リモートコントローラ１７のカーソルキー１７ｆを操作して所望の番組を示す情報を選択し、決定キー１７ｇを操作して決定すると、制御部５６は、ステップＳ１５で、不揮発性メモリ５９に記録された情報から、その選択決定された番組が記録されているデジタル記録機器を特定し、その番組が再生可能であるか否かを判別する。
【００５３】
この判別は、例えば、デジタルテレビジョン放送受信装置１１と再生要求された番組を記録しているデジタル記録機器とが接続されているか否か、再生要求された番組を記録しているデジタル記録機器の電源が投入されているか否か、対象となるデジタル記録機器にその番組がまだ記録されているか否か等々、記録時と再生時とにおける諸条件を総合的に比較して再生可能か否かを判別する。
【００５４】
そして、上記ステップＳ１５で再生可能であると判断された場合（ＹＥＳ）、制御部５６は、ステップＳ１６で、対象となるデジタル記録機器から再生要求された番組の情報を読み出し、再生するように制御して、処理を終了（ステップＳ１７）する。
【００５５】
また、上記ステップＳ１５で再生可能でないと判断された場合（ＮＯ）、制御部５６は、ステップＳ１８で、要求された番組の再生が不可能である旨のメッセージを映像表示器１４に表示させて、処理を終了（ステップＳ１７）する。
【００５６】
上記した再生動作によれば、記録したデジタル記録機器を問わず、最新の記録番組から溯って最大で３５個の記録された番組を一覧表示するナビゲーション機能を持つようにしたので、複数のデジタル記録機器に記録されている番組をユーザが容易に管理することが可能となる。このため、一覧表示された番組から所望の番組をカーソルキー１７ｆで選択し決定キー１７ｇで決定することにより、迅速に検索して再生することが可能となる。
【００５７】
なお、複数のデジタル記録機器に記録した番組を全て一覧表示することは、接続されるデジタル記録機器の増加や、記録した番組数の増加を考慮すると、実用的でなくなる。この実施の形態のように、最新の記録番組から溯って最大で３５個程度までの番組を一覧表示することが、ユーザにとって実質的な支障の生じ難い実用に適した設定となる。
【００５８】
ここで、上記したデジタルテレビジョン放送受信装置１１は、写真再生機能を有している。すなわち、リモートコントローラ１７のfaceネットキー１７ｊを操作して表示させた図７に示すナビゲーションメニューから、「写真」の項目を選択し決定することにより、例えば前記カードホルダ６１に装着された第１のメモリカード１９であるＳＤメモリカードに記録されている複数の写真を、一覧表示させることができる。この場合、表示対象となる写真が記録されているデジタル記録媒体やデジタル記録機器（デジタルカメラ）をユーザが指定する必要がある。その結果、図１０に示すような写真一覧が表示される。
【００５９】
また、このデジタルテレビジョン放送受信装置１１は、予め接続されているサーバに対して、定期的にＥメールの着信状況を判別しに行き、着信がある場合、図１１に示すように、映像表示器１４の表示画面上に「新着  ３件」等の着信メッセージを表示させることができる。そして、着信メッセージが表示されている状態では、リモートコントローラ１７の決定キー１７ｇを操作するだけで、図１２に示すように、映像表示器１４にＥメールを開くことができる。
【００６０】
また、図７に示すナビゲーションメニューから、「Ｅメール」の項目を選択し決定することによっても、Ｅメールの送信や着信されたＥメールの読み出しを行なうことができる。
【００６１】
さらに、リモートコントローラ１７のページ切換キー１７ｉを操作することにより、映像表示器１４の画面に表示されている映像を、ページ単位で切り換えることができる。すなわち、リモートコントローラ１７のカーソルキー１７ｆは、画面上でカーソルを上下左右に移動させるために、上下左右の各方向に対応した４つのキーで構成されている。そして、ページ切換キー１７ｉも、４つのカーソルキー１７ｆにそれぞれ対応した４つのキーで構成されている。
【００６２】
つまり、例えば、カーソルを上方向に移動させるためのカーソルキー１７ｆに対応するページ切換キー１７ｉを操作することにより、現在の表示画面がその上側に存在する映像に切り換えられることになる。このページ切り換え機能により、カーソルキー１７ｆを操作して画面をスクロールさせることに比べて、所望の画面を迅速に選択することが可能となる。
【００６３】
また、ページ切換キー１７ｉは、カーソルキー１７ｆに対応させて設置されるので、移動方向を容易に認識することができる。このページ切換キー１７ｉによって切換可能な画面としては、例えば、図５に示した番組表、図９に示した最近録画した番組の一覧表等がある。
【００６４】
この放送受信装置では、上記したＥメールに関して、メール受信処理機能を有効に活用する。メールとしては、通常メールと、機能制御メールを受信し、処理できる。ここで、通常メールとは、図１０、図１１で説明したように、文書のように文字で情報伝達されるメールのことであり、機能制御メールとは後述するように上記デジタル放送受信装置に多数付随している周辺機器を制御したり、録画予約を行ったりするための制御データを含むメールのことである。また上記通常メール又は機能制御メールが新着したときには、表示器上のアイコン表示方法に工夫をしており、ユーザの混乱を防止し、ユーザの便宜を図っている。
【００６５】
以下、メール受信処理機能について説明する。図１３には、インターネットを通じてメールが送受信される系路の例を示している。たとえば外部のパーソナルコンピュータ１３１が操作され、メールが送信される。送信されたメールは、サーバ１３２を介して、先に説明した放送受信装置１１に到達する。放送受信装置１１には、キーボードを接続することもできる。このキーボードを操作して、メールを送信することも可能である。つまり放送受信装置１１には、メール処理機能が設けられているからである。
【００６６】
図１４には、機能制御メールのフォーマットの一例を示している。図１４（A)は、たとえば携帯電話器の表示画面、あるいは図１３に示したパーソナルコンピュータ１３１の表示画面上で、録画予約を行う場合に伝送する機能制御メールの本文の例を示している。送信アドレス入力部は省略して示している。
【００６７】
本文では、図１４（A) 、図１４（B)に示すように、機能制御メールである場合、「キーワード」、「パスワード」、「録画開始日」、「開始時刻」、「終了時刻」、「録画チャンネル」、「録画機器」、「画質：録画モード」、「音声多重対応」の制御データが順次配列される。
【００６８】
図１４(D)には、「キーワード：dtvopen」、「パスワード:facestyle」、「録画開始日:」、「開始時刻」、「終了時刻」、「録画チャンネル」の具体的例を示している。この例であると、キーワードはdtvopen、パスワードはfacestyleである。録画開始日は、西暦4桁、月2桁、日2桁で入力される。開始時刻、終了時刻は、それぞれ時2桁、分２桁で入力される。また録画チャンネルとしては、図１４（D)に示すように入力データが割り当てられている。「BS」の場合BSデジタル放送、「CS」の場合CSデジタル放送、「TD」の場合地上波デジタル放送、「TA」の場合地上波アナログ放送、「LN」の場合ライン入力としている。そして各「BS」、「CS」、「TD」、「TA」の後に所望のチャンネル番号が英数字で入力される。「LN」の後には、ライン番号が入力される。図１４（A)に示す例は、BDデジタル放送の１０３チャンネルが予約された例を示している。たとえばCS001であればCSデジタル放送の００１チャンネル、TD011であれば、地上波デジタル放送の011チャンネル、TA1であれば、地上アナログ放送の1チャンネル、TAC13であれば、CATVのC13チャンネル、TABS1であれば、アナログ衛星放送の１チャンネルが指定されていることを意味する。
【００６９】
図１５には、放送受信装置１１において、上述したような機能制御メールを受信した際の動作をフローチャートとして示している。このメール処理機能は、図２に示す制御部５６内に装備されていてもよいが、別途独立したブロックで設けられていてもよい。
【００７０】
定期的にこの処理機能が動作開始される。開始すると受信メール監視機能により、サーバにメールが到着しているかどうかをチェックする（ステップ15S1）。受信メールがあると、通常メールであるのか機能制御メールであるのかの判断が行われる（ステップ15S2、15S3）。つまりメールタイプ識別機能が働き、メールタイプが識別される。通常メールである場合には、メーラー処理が行われ、図１１、図１２で説明したような処理が実行可能である。つまりメール一覧表示処理及びメール本文表示処理を行われる。機能制御メールであった場合には、メール取り込みが行われ（ステップ15S5）、サーバのメール削除が行われ（ステップ15S6）、次にメール本文の解析が行われる（ステップ15S7）。次に暗証のチェックが行われエラーであれば処理を終了する。暗証チェックにおいて、正しい暗証が確認されたときは、予約の確認処理が実行される、すなわち、図１４（B)で示したような録画予約情報が解読され、かつ番組予約テーブルに登録される（ステップ15S8、15S9、15S10）。登録が成功した場合には、成功メールを返信し、登録に失敗した場合には失敗したというメッセージを含む失敗メールを返信する（ステップ15S11、15S12）。
【００７１】
失敗メールのメッセージとしては、日時指定のエラーがある場合、予約チャンネルが存在しない場合、録画機器が存在しない場合などの情報である。また予約が重なっている場合、予約件数が所定量よりオーバーしているとき、録画開始時刻まで所定の時間（たとえば5分）を切っている場合のメッセージも送ることができる。上記のように受信したメールが機能制御メールであるときは、メール一覧表示処理及びメール本文表示処理を省略する機能を有する。
【００７２】
上記した録画機器をしている場合の録画機器識別子は、VCR0、あるいはVCR1がある。またi.LINK機器を指定する場合のi.LINK１、i.LINK２のようにi.LINKと番号がペアとなって用いられる。またNAS機器を指定する場合もNASと番号がペアとなって用いられる。また録画先としてSDが用いられるときはSD2,SD3、などのようにSDと番号とがペアとなって用いられる。
【００７３】
また録画モードを設定することができる。録画モードとしては、以下のような指定を行うことができる。TS（トランスポートストリームの直接記録）、XP（ダウンコンバートしてビットレートが最も高い状態で記録）、SP（XPよりもビットレートが少ない状態で記録）、LP（SPよりもビットレートが少ない状態で記録）、EP（LPよりもビットレートが少ない状態で記録）、F（ファインレートで記録、予め適宜選択されているデフォルト）、N（ノーマルレートで記録、予め適宜選択されているデフォルト）、E（エコノミーレートで記録、予め適宜選択されているデフォルト）。  さらに二重音声記録モードとしては、以下のような識別子がある。N（主音声を記録）、S（副音声を記録）、MS（主＋副音声を記録）。
【００７４】
またこの受信装置では、上記したように録画番組を予約した場合、予約状態を一覧表示する機能も備えている。リモートコントローラのメニューボタンを操作すると、画面上に「予約」という項目が現れる。この「予約」の項目にカーソルを合わせて決定ボタンを操作すると、画面上に「日時指定予約」と「予約一覧」の項目が現れる。ここで、「予約一覧」の項目にカーソルを合わせて決定ボタンを操作すると、予約状態を示す一覧表が表示される。予約一覧のテーブル上では、「チャンネルロゴ」、「チャンネル番号」が表示される。また「タイトルとしての番組名」が表示される。また、「予約日」が表示される、またこのとき「毎日」あるいは「毎週（月）」などのように表示されてもよい。さらに予約時間が表示される。
【００７５】
したがって、上記したメールによる録画予約状態を、ユーザは後で画面上で確認することが可能である。もちろん、予約一覧表を表示し、予約取り消し操作を行うこともできる。
【００７６】
またこの放送受信装置では、機能制御メールが送られてきたとき、録画機器が指定されていない場合、画質が指定されていない場合及び音声多重対応情報が指定されていない場合に対処できるように工夫されている。すなわち、この放送受信装置では、所定の録画機器（設定された番号の一番小さい機器）、所定の画質、所定の音声多重対応情報が予め設定され、記憶部にデフォルトとして保存されている。したがって、機能制御メール内に必要な情報が省略されているときは、これらのデフォルト情報を利用する機能が設けられている。さらには、このほかに、直前に使用した情報（使用した録画機器、画質、音声多重対応情報）、及びこれよりも過去に使用した数回分の情報を格納する記憶部もあるので、これらを用いるようにしてもよい。
【００７７】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７８】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置がデジタル記録機器に番組を記録する動作を説明するために示すフローチャート。
【図５】同実施の形態におけるデジタルテレビジョン放送受信装置の記録動作時に表示される番組表の一例を説明するために示す図。
【図６】同実施の形態におけるデジタルテレビジョン放送受信装置がデジタル記録機器から番組を再生する動作を説明するために示すフローチャート。
【図７】同実施の形態におけるデジタルテレビジョン放送受信装置の再生動作時に表示されるナビゲーションメニューの一例を説明するために示す図。
【図８】同実施の形態におけるナビゲーションメニューから録画番組の項目を選択した状態を説明するために示す図。
【図９】同実施の形態におけるナビゲーションメニューから得られる最近録画した番組の一覧表示画面の一例を説明するために示す図。
【図１０】同実施の形態におけるデジタルテレビジョン放送受信装置の写真再生機能を説明するために示す図。
【図１１】同実施の形態におけるデジタルテレビジョン放送受信装置のＥメール着信画面の一例を説明するために示す図。
【図１２】同実施の形態におけるデジタルテレビジョン放送受信装置のＥメール表示画面の一例を説明するために示す図。
【図１３】同実施の形態におけるデジタルテレビジョン放送受信装置のEメールの送受信系路を説明するために示す図。
【図１４】同実施の形態における機能制御メールのフォーマットの一例を説明するために示す図。
【図１５】同実施の形態におけるデジタルテレビジョン放送受信装置のメール情報処理を説明するために示すフローチャート。
【符号の説明】
【００７９】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link Ｉ／Ｆ。
【図１】
2006074581.tif 000003
【図２】
2006074581.tif 000004
【図３】
2006074581.tif 000005
【図４】
2006074581.tif 000006
【図５】
2006074581.tif 000007
【図６】
2006074581.tif 000008
【図７】
2006074581.tif 000009
【図８】
2006074581.tif 000010
【図９】
2006074581.tif 000011
【図１０】
2006074581.tif 000012
【図１１】
2006074581.tif 000013
【図１２】
2006074581.tif 000014
【図１３】
2006074581.tif 000015
【図１４】
2006074581.tif 000016
【図１５】
2006074581.tif 000017